(57)【特許請求の範囲】
【請求項１】
所定の始動信号に基づいて図柄変動表示装置に画像として並べて表示される複数の図柄を変動制御する図柄制御手段と、それらの変動する図柄が最終的に所定態様で停止することにより遊技者に有利な特別遊技状態を発生させる特別遊技状態発生手段と、前記図柄が最終的に所定態様で停止表示される前段階において前記図柄変動表示装置にてリーチ状態を演出するリーチ演出手段とを備えたパチンコ機であって、前記図柄変動表示装置の前面の所定位置に、表示される画像の一部を隠すと共に、遊技領域に打ち出されたパチンコ球が乗るための受け部を形成したマスク部材を設け、パチンコ球がそのマスク部材の受け部に乗ったときに、同マスク部材は画像の一部を隠したマスク状態を解除すると共に該パチンコ球が前方に流出してから元のマスク状態の位置に復帰するように構成したマスク機構を設けたことを特徴とするパチンコ機。
【請求項２】
リーチ状態の発生によりキャラクタ等の図柄が図柄変動表示装置の画面に表示されるパチンコ機において、前記マスク状態は図柄を表示する表示領域に対応して施されることを特徴とする請求項１に記載のパチンコ機。
【発明の詳細な説明】
【０００１】
【発明の属する技術分野】
本発明は、リーチ状態の発生によりキャラクタ等の図柄が図柄変動表示装置の画面に表示されるパチンコ機に関する。
【０００２】
【従来の技術】
一般的なパチンコ機は、遊技盤の中央部にブラウン管又はカラー液晶の表示部を有する図柄変動表示装置を備えており、その表示部に３列の横並びに現れる図柄（例えば、数字の７）が所定態様（７，７，７）で揃ったときには、「大当たり」と言われる特別遊技条件が成立して大入賞口が打玉を受け入れる開放状態とされ、さらに所定条件に基づきその開放状態が所定回数だけ繰り返されることにより一時に多量の景品球を放出する構造とされている。斯様なパチンコ機では遊技者に「大当たり」への期待感を持たせるために、図柄合わせゲームにて最後の右位置に表示される図柄が所定の図柄であれば特別遊技状態が発生するという場合に行われるリーチ状態において、前記表示部の表示態様を通常の表示態様と異ならせ或いは新たなキャラクタを表示部に現すように工夫がこらされている。
【０００３】
【発明が解決しようとする課題】
上記した従来のパチンコ機ではリーチ状態が発生した場合、遊技者は図柄変動表示装置の表示部におけるキャラクタ等による演出に気を奪われてしまってパチンコ球の打ち出し操作を一時中断する傾向にある。しかして、その打ち出し操作を中断した間は当然のことながらパチンコ球の発射が行われないため、パチンコホール側から見れば売り上げが上がらず不利益を被ると言えよう。
【０００４】
この発明の目的は、リーチ状態が発生した場合、遊技者がパチンコ球の打ち出し操作を中断せずに継続して行うようにゲームの興趣を高めることが可能なパチンコ機を提供することにある。
【０００５】
【課題を解決するための手段】
前記目的を達成するために請求項１に記載の発明は、所定の始動信号に基づいて図柄変動表示装置に画像として並べて表示される複数の図柄を変動制御する図柄制御手段と、それらの変動する図柄が最終的に所定態様で停止することにより遊技者に有利な特別遊技状態を発生させる特別遊技状態発生手段と、前記図柄が最終的に所定態様で停止表示される前段階において前記図柄変動表示装置にてリーチ状態を演出するリーチ演出手段とを備えたパチンコ機であって、前記図柄変動表示装置の前面の所定位置に、表示される画像の一部を隠すと共に、遊技領域に打ち出されたパチンコ球が乗るための受け部を形成したマスク部材を設け、パチンコ球がそのマスク部材の受け部に乗ったときに、同マスク部材は画像の一部を隠したマスク状態を解除すると共に該パチンコ球が前方に流出してから元のマスク状態の位置に復帰するように構成したマスク機構を設けたことを特徴とする。
【０００６】
同様の目的を達成するために請求項２に記載の発明は、請求項１に記載のパチンコ機において、リーチ状態の発生によりキャラクタ等の図柄が図柄変動表示装置の画面に表示されるパチンコ機において、前記マスク状態は図柄を表示する表示領域に対応して施されることを特徴とするものである。
【０００７】
【発明の作用及び効果】
（請求項１の発明）
図柄がリーチ状態のときには、リーチ演出手段による演出がなされるが、変動表示装置に表示される図柄の一部は、マスク機構のマスク部材によりにマスクが施されている。そこで、遊技者がマスク箇所の図柄を見たいがために引き続きパチンコ球の打ち出し操作を行い、遊技領域に打ち出されたパチンコ球がマスク部材の受け部に乗ったときには、同マスク部材の作動により画像の一部を隠したマスク状態が解除される。これとほぼ同時にパチンコ球は前方に流出し、マスク部材は元のマスクを施す位置に復帰する。
【０００８】
（請求項２の発明）
リーチ状態の発生によりキャラクタ等の図柄が画面に表示されるパチンコ機の場合、請求項１の発明におけるマスク状態は図柄を表示する表示領域に対応して施される。
【０００９】
このパチンコ機は、リーチ状態が発生した場合に画面に表示される図柄の一部にマスクを施し、遊技者がパチンコ球の打ち出し操作を行って一定の条件を満たしたときにマスク状態が解除されるように構成しているので、リーチ発生時のゲームに対する興趣を一層高めることが可能である。これに加えて、リーチ発生時においてもマスク状態を解除させるためにパチンコ球の打ち出し操作が継続して行われることが予想されるので、パチンコホール側にとっては収益の増加を期待できる。
【００１０】
【発明の実施の形態】
以下に、本発明の実施の形態例を図面に基づいて説明する。図１はマスク機構を備えた飾り枠部材に図柄変動表示装置が取り付けられた状態を示す斜視図、図２は図１の側面図、図３〜図５はマスク機構の作用を示す説明図（１）〜（３）である。
【００１１】
この実施形態例で言うパチンコ機は、所定の始動信号に基づいて図柄変動表示装置１のブラウン管又はカラー液晶の表示部２に画像として並べて表示される複数の図柄を変動制御する図柄制御手段（図示せず）と、それらの変動する図柄が最終的に所定態様で停止することにより遊技者に有利な特別遊技状態を発生させる特別遊技状態発生手段（図示せず）と、図柄が最終的に所定態様で停止表示される前段階において図柄変動表示装置１にてリーチ状態を演出するリーチ演出手段（図示せず）とを備えた公知構造を備えている。
【００１２】
しかして、このパチンコ機において、図柄変動表示装置１の表示部２に３列の横並びに現れる図柄（例えば、数字の７）が所定態様（７，７，７）で揃ったときには、特別遊技条件が成立して大入賞口（図示せず）が打玉を受け入れる開放状態とされ、さらに所定条件に基づきその開放状態が所定回数だけ繰り返されることにより一時に多量の景品球を放出する動作が行われる。
【００１３】
図１、図２において、１０は遊技盤ａの中央正面に設けられる飾り枠部材である。その飾り枠部材１０は四角形の窓孔１２を開設した取付板１１の背面に周枠１３が一体に形成され、その周枠１３の下辺部１３ａに正面から見て右上がりのステージ１４を設けている。１５はステージ１４の手前で僅かに凹円弧状に湾曲形成されたフロントステージである。１６は取付板１１の左側前面に突設されたワープの入口であり、この入口１６は周枠１３の左辺部１３ｂでステージ１４の袖に相当する箇所に開設されたワープの出口１７に樋１８を介して連通するように設けられている。上記図柄変動表示装置１は、飾り枠部材１０の周枠１３にその表示部２を臨ませて遊技盤ａの裏面に取り付けられている。
【００１４】
２０は上記図柄変動表示装置１の前面の所定位置、言い換えれば飾り枠部材１０の右下隅部に設けたマスク機構である。ステージ１４の右端部と周枠１３の右辺部１３ｃとの空間部２１には、前記表示部２に表示される画像の一部を隠すマスク片２２ａと、遊技領域に打ち出されて飾り枠部材１０の入口１６に入り、出口１７からステージ１４を転動するパチンコ球が一時的に乗るための受け部２２ｂを形成したＬ字形のマスク部材２２を上下方向に移動自由に設ける。そのマスク部材２２は、周枠１３の立ち上り部１３ｄに軸２３によりシーソー動作可能に取り付けられた支持杆２４の前端に小角度だけ回転自由に支承されている。２５は支持杆２４の後端に設けたバランスウェートである。２６はマスク部材２２の受け部２２ｂの前部を囲むように設けられた案内枠である。
【００１５】
上記表示部２の前部には額縁形状の中間枠３０を取り付ける。その中間枠３０の右下隅のカバー部３１は、前記マスク片２２ａの上方を覆うように設けられている。
【００１６】
かかる構成になるパチンコ機のマスク機構２０の作動について説明する。
（１）図柄変動表示装置１の表示部２に現れる図柄がリーチ状態となったときには、リーチ演出手段による演出がなされるが、ここでは、図柄の一部がリーチの信頼度をパーセントで表す数字とする。その数字は、マスク部材２２のマスク片２２ａによりマスクが施されている。
（２）そこで、遊技者がマスク箇所の数字を見たいがために引き続きパチンコ球の打ち出し操作を行い、遊技領域に打ち出されたパチンコ球ｍが飾り枠部材１０の入口１６に入り、樋１８を経て出口１７からステージ１４を転動しマスク部材２２の受け部２２ｂに乗ったとする。このときには、マスク部材２２が図４、図５に示すように下方に移動するため、前記数字を隠したマスク状態は解除されて数字「７０」が現れる。
（３）これとほぼ同時に、パチンコ球ｍは受け部２２ｂから前方のフロントステージ１５上に流出し、マスク部材２２はバランスウェート２５の作用により元のマスクを施す位置に自動的に復帰する。
【００１７】
上述した通り、このパチンコ機は、リーチ発生時のゲームに対する興趣を一層高めることが可能であり、画面に現れる図柄の一部を隠すマスク状態を解除させるために遊技者のパチンコ球の打ち出し操作が継続して行われることが予想されるため、パチンコホール側にとっては、従来パチンコ機におけるリーチ発生時の打ち出し操作の中断による不利益が解消されるという利益を生ずる。
【図面の簡単な説明】
【図１】  マスク機構を備えた飾り枠部材に図柄変動表示装置が取り付けられた状態を示す斜視図
【図２】  図１の側面図
【図３】  マスク機構の作用を示す説明図（１）
【図４】  マスク機構の作用を示す説明図（２）
【図５】  マスク機構の作用を示す説明図（３）
【符号の説明】
ｍ→パチンコ球
１→図柄変動表示装置
２→表示部
１０→飾り枠部材
１４→ステージ
２０→マスク機構
２２→マスク部材
２２ａ→マスク片  ２２ｂ→受け部
【図１】
0004040845.tif 000002
【図２】
0004040845.tif 000003
【図３】
0004040845.tif 000004
【図４】
0004040845.tif 000005
【図５】
0004040845.tif 000006